(57)【要約】【課題】利用者の要望に合ったＰＵＳＨ型コンテンツを、低コストでかつ効率的に提供することのできる情報配信装置を提供する。【解決手段】デジタルデータの意味内容の解析結果から、デジタルデータに含まれる事象を示す事象情報を抽出する事象情報抽出手段１０５と、予め登録された利用者の嗜好情報に合致する事象情報を特定する情報特定手段１２２と、情報特定手段により特定された事象情報に基づいて、配信情報を編集する配信情報編集手段１２６と、予め登録された利用者に配信情報を配信する場合の条件を示す配信条件情報に合致するタイミングで、配信情報編集手段１２６が編集した配信情報を利用者端末２０に配信する配信手段１２８とを備えた。【選択図】      図２
2004355532.tif 000002
【特許請求の範囲】
【請求項１】
動画および音声のうち少なくとも一方を含むデジタルデータに関連する情報を利用者端末に配信する情報配信装置であって、
前記デジタルデータの意味内容を解析する意味解析手段と、
前記意味解析手段による意味内容の解析結果から、前記デジタルデータに含まれる事象を示す事象情報を抽出する事象情報抽出手段と、
前記事象情報抽出手段が抽出した前記事象情報を格納する事象情報格納手段と、
前記事象情報格納手段に格納されている前記事象情報から、予め登録された前記利用者の嗜好情報に合致する前記事象情報を特定する情報特定手段と、
前記情報特定手段により特定された前記事象情報に対して予め定められている配信情報を編集する配信情報編集手段と、
予め登録された、前記利用者に前記配信情報を配信する場合の条件を示す配信条件情報に合致するタイミングで、前記配信情報編集手段が編集した前記配信情報を前記利用者端末に配信する配信手段と
を備えたことを特徴とする情報配信装置。
【請求項２】
前記利用者端末から前記配信条件情報を取得する取得手段と、
前記取得手段が取得した前記配信条件情報を、前記利用者を識別する利用者識別情報に対応付けて格納する利用者情報格納手段と
をさらに備え、
前記配信手段は、前記利用者情報格納手段において、前記利用者の前記利用者識別情報に対応付けて格納されている前記配信条件情報に合致するタイミングで、前記配信情報を前記利用者端末に配信することを特徴とする請求項１に記載の情報配信装置。
【請求項３】
前記取得手段は、前記利用者端末から前記嗜好情報をさらに取得し、
前記利用者情報格納手段は、前記取得手段が取得した前記嗜好情報を、前記利用者識別情報に対応付けてさらに格納し、
前記情報特定手段は、前記利用者情報格納手段に格納されている前記嗜好情報に合致する前記事象情報を特定することを特徴とする請求項２に記載の情報配信装置。
【請求項４】
前記意味内容解析手段による意味内容の解析結果に基づいて前記デジタルデータの重要度を算出する重要度算出手段をさらに備え、
前記情報特定手段は、前記配信条件情報が示す条件に合致する前記重要度の前記事象情報を特定することを特徴とする請求項１から３のいずれか一項に記載の情報配信装置。
【請求項５】
前記事象情報および前記重要度に基づいて、当該デジタルデータの意味内容を示すステイタス情報を生成するステイタス情報生成手段と、
前記ステイタス情報に対応付けて、前記配信情報に含めるべき配信候補情報を格納する配信候補情報格納手段と、
前記配信候補情報格納手段において、前記ステイタス情報に対応付けて格納されている前記配信候補情報を抽出する抽出手段と
をさらに備え、
前記情報特定手段は、前記ステイタス情報を特定し、
前記配信情報編集手段は、前記情報特定手段が特定した前記ステイタス情報に対して前記抽出手段が抽出した前記配信候補情報を含む前記配信情報を編集することを特徴とする請求項４に記載の情報配信装置。
【請求項６】
前記配信候補情報格納手段は、所定の事象情報に対して複数の前記配信候補情報を格納し、
前記配信情報編集手段は、前記配信候補情報格納手段において、前記事象情報に対応付けられている複数の前記配信候補情報を含む前記配信情報を編集することを特徴とする請求項５に記載の情報配信装置。
【請求項７】
動画および音声のうち少なくとも一方を含むデジタルデータに関連する情報を利用者端末に配信する情報配信装置であって、
前記撮像装置から、前記デジタルデータに含まれる事象を示す事象情報及びデジタルデータを受信する受信手段と、
前記受信手段が受信した前記事象情報から、予め登録された前記利用者の嗜好情報に合致する前記事象情報を特定する情報特定手段と、
前記情報特定手段により特定された前記事象情報に対して予め定められている配信情報を編集する配信情報編集手段と、
予め登録された、前記利用者に前記配信情報を配信する場合の条件を示す配信条件情報に合致するタイミングで、前記配信情報編集手段が編集した前記配信情報を前記利用者端末に配信する配信手段と
を備えたことを特徴とする情報配信装置。
【請求項８】
動画を撮像する撮像装置と、前記撮像装置によって撮像されたデジタルデータに関連する情報を利用者端末に配信する情報配信装置とを備えた情報配信システムであって、
前記撮像装置は、
動画を撮像する撮像手段と、
前記撮像手段によって撮像されたデジタルデータの意味内容を解析する解析手段と、
前記意味解析手段による意味内容の解析結果から、前記デジタルデータに含まれる事象を示す事象情報を抽出する事象情報抽出手段と、
前記デジタルデータおよび前記事象情報を送信する送信手段と
を有し、
前記情報配信装置は、
前記撮像装置から前記デジタルデータおよび前記事象情報を受信する受信手段と、
前記受信手段が受信した前記事象情報から、予め登録された前記利用者の嗜好情報に合致する前記事象情報を特定する情報特定手段と、
前記情報特定手段により特定された前記事象情報に対して予め定められている配信情報を編集する配信情報編集手段と、
予め登録された前記利用者に配信情報を配信する場合の条件を示す配信条件情報に合致するタイミングで、前記配信情報編集手段が編集した前記配信情報を前記利用者端末に配信する配信手段と
を有することを特徴とする情報配信システム。
【請求項９】
動画および音声のうち少なくとも一方を含むデジタルデータに関連する情報を利用者端末に配信する情報配信方法であって、
前記デジタルデータの意味内容を解析する意味解析ステップと、
前記意味解析ステップにおける意味内容の解析結果から、前記デジタルデータに含まれる事象を示す事象情報を抽出する事象情報抽出ステップと、
前記事象情報抽出ステップにおいて抽出した前記事象情報を事象情報格納手段に格納する事象情報格納ステップと、
前記事象情報格納手段に格納されている前記事象情報から予め登録された前記利用者の嗜好情報に合致する前記事象情報を特定する情報特定ステップと、
前記情報特定ステップにおいて特定された前記事象情報に対して予め定められている配信情報を編集する配信情報編集ステップと、
予め登録された前記利用者に配信情報を配信する場合の条件を示す配信条件情報に合致するタイミングで、前記配信情報編集ステップにおいて編集した前記配信情報を前記利用者端末に配信する配信ステップと
を有することを特徴とする情報配信方法。
【請求項１０】
動画および音声のうち少なくとも一方を含むデジタルデータに関連する情報を利用者端末に配信する情報配信処理をコンピュータに実行させる情報配信プログラムであって、
前記デジタルデータに含まれる事象を示す事象情報及びデジタルデータを受信する受信ステップと、
前記受信ステップにおいて受信した前記事象情報から、予め登録された前記利用者の嗜好情報に合致する前記事象情報を特定する情報特定ステップと、
前記情報特定ステップにより特定された前記事象情報に対し予め定められている配信情報を編集する配信情報編集ステップと、
予め登録された前記利用者に配信情報を配信する場合の条件を示す配信条件情報に合致するタイミングで、前記配信情報編集ステップにおいて編集した前記配信情報を前記利用者端末に配信する配信ステップと
をコンピュータに実行させることを特徴とする情報配信プログラム。
【発明の詳細な説明】
【０００１】
【発明の属する技術分野】
本発明は、デジタルデータに関連する情報を利用者端末に配信する情報配信装置、情報配信システム、情報配信方法、および情報配信プログラムに関する。
【０００２】
【従来の技術】
近年、ＰＤＡ、携帯電話を始めとする携帯端末の普及がめざましい。現在試験的に運用されている次世代の携帯端末（ＩＭＴ２０００）では、最大３８４Ｋｂｐｓというネットワーク帯域によってテキスト、静止画像のみならず動画像の受信も可能となり、今後、音声読み上げなどの高度な機能も実装可能になると考えられている。
【０００３】
このような携帯端末に対して、野球やサッカーの試合速報などのスポーツ番組関連情報を送出するサービスが開始されている。これは得点やイニング終了といった事象の発生に従って、サービス提供者が「１回裏、Ｇチーム３−１Ｈチーム。Ｔ選手のタイムリーヒットでＧチーム逆転。」といった文字列および該当する映像シーンを作成し、利用者の携帯端末にインターネット網などを利用して配信する、というものである。
【０００４】
このサービスにより移動中などでテレビを視聴できない利用者でも、番組の経過を知ることが可能となる。送信される情報もすべての利用者に同一のものでなく、利用者の嗜好を反映させて、利用者毎に個人化されたものが送られてくることが予想される。そのためには利用者の嗜好を反映させて自動的にシーンを抽出し、説明文字列を生成する仕組みの提案が望まれている。
【０００５】
発明者らは、これまでに、利用者毎のパーソナルなダイジェストを動的に作成するダイジェスト作成方式を既に提案している（例えば、特許文献１）。
【０００６】
発明者らのダイジェスト作成方式では、番組メタデータに基づき、各映像シーンの重要度を算出し、利用者の嗜好情報に関連する映像シーンのうち、重要度の高い順から選択して、必要に応じて時系列にソートし、ダイジェストを作成することができる。この技術を、ＰＵＳＨ型コンテンツ配信装置である、本発明の情報配信装置に応用し、利用者の嗜好情報と、欲しい情報、好みの配信タイミング、およびステイタス情報とを組み合わせて、配信情報としてのＰＵＳＨ型コンテンツを自動生成できれば、低コストでコンテンツを生成することが可能となる。その際、より多様な配信情報を提供することができれば、より有効である。
【０００７】
【特許文献１】
特開２００２−２３２８２８号公報
【０００８】
【発明が解決しようとする課題】
従来の従来の型コンテンツ配信システムとしては、映像中の事象の経過に基づいて、コンテンツ配信担当者が手動でデータを配信するものが知られている。このシステムにおいては、▲１▼多様な嗜好を持つ多くの利用者に対して、柔軟にコンテンツを配信することができない、▲２▼手動で行うため、コンテンツ生成にコストがかかる、という問題があった。
【０００９】
本発明は、上記に鑑みてなされたものであり、従来のダイジェスト作成技術を応用して、利用者の要望に合ったコンテンツを低コストでかつ効率的に提供することのできる情報配信装置を提案することを目的とする。
【００１０】
【課題を解決するための手段】
上記目的を達成するため、請求項１にかかる発明は、動画および音声のうち少なくとも一方を含むデジタルデータに関連する情報を利用者端末に配信する情報配信装置であって、前記デジタルデータの意味内容を解析する意味解析手段と、前記意味解析手段による意味内容の解析結果から、前記デジタルデータに含まれる事象を示す事象情報を抽出する事象情報抽出手段と、前記事象情報抽出手段が抽出した前記事象情報を格納する事象情報格納手段と、前記事象情報格納手段に格納されている前記事象情報から、予め登録された前記利用者の嗜好情報に合致する前記事象情報を特定する情報特定手段と、前記情報特定手段により特定された前記事象情報に対して予め定められている配信情報を編集する配信情報編集手段と、予め登録された、前記利用者に前記配信情報を配信する場合の条件を示す配信条件情報に合致するタイミングで、前記配信情報編集手段が編集した前記配信情報を前記利用者端末に配信する配信手段とを備えたことを特徴とする。
【００１１】
この請求項１の発明によれば、嗜好情報に合致する内容を含む配信情報を、配信条件情報が示す条件に合致するタイミングで、利用者に配信することができるので、利用者が希望するタイミングに、希望する情報を配信することができる。
【００１２】
また、請求項２にかかる発明は、請求項１に記載の情報配信装置であって、前記利用者端末から前記配信条件情報を取得する取得手段と、前記取得手段が取得した前記配信条件情報を、前記利用者を識別する利用者識別情報に対応付けて格納する利用者情報格納手段とをさらに備え、前記配信手段は、前記利用者情報格納手段において、前記利用者の前記利用者識別情報に対応付けて格納されている前記配信条件情報に合致するタイミングで、前記配信情報を前記利用者端末に配信することを特徴とする。
【００１３】
この請求項２の発明によれば、利用者情報格納手段は取得手段が利用者端末から取得した配信条件情報を、各利用者毎に格納することができるので、この配信条件情報を利用することにより、各利用者が希望するタイミングに、希望する配信情報を配信することができる。
【００１４】
また、請求項３にかかる発明は、請求項２に記載の情報配信装置であって、前記取得手段は、前記利用者端末から前記嗜好情報をさらに取得し、前記利用者情報格納手段は、前記取得手段が取得した前記嗜好情報を、前記利用者識別情報に対応付けてさらに格納し、前記情報特定手段は、前記利用者情報格納手段に格納されている前記嗜好情報に合致する前記事象情報を特定することを特徴とする。
【００１５】
この請求項３の発明によれば、取得手段は利用者から嗜好情報をさらに取得し、利用者情報格納手段は、各利用者毎に嗜好情報をさらに格納しているので、この配信条件情報を利用することにより、各利用者の希望に合致する配信情報を配信することができる。
【００１６】
また、請求項４にかかる発明は、請求項１から３のいずれか一項に記載の情報配信装置であって、前記意味内容解析手段による意味内容の解析結果に基づいて前記デジタルデータの重要度を算出する重要度算出手段をさらに備え、前記情報特定手段は、前記配信条件情報が示す条件に合致する前記重要度の前記事象情報を特定することを特徴とする。
【００１７】
この請求項４の発明によれば、重要度算出手段は、デジタルデータの重要度を算出し、情報特定手段は、配信条件情報が示す条件に合致する重要度の事象情報を特定することができるので、特定した事象情報に基づいて、利用者の希望に合った配信情報を生成し、配信することができる。
【００１８】
また、請求項５にかかる発明は、請求項４に記載の情報配信装置であって、前記事象情報および前記重要度に基づいて、当該デジタルデータの意味内容を示すステイタス情報を生成するステイタス情報生成手段と、前記ステイタス情報に対応付けて、前記配信情報に含めるべき配信候補情報を格納する配信候補情報格納手段と、前記配信候補情報格納手段において、前記ステイタス情報に対応付けて格納されている前記配信候補情報を抽出する抽出手段とをさらに備え、前記情報特定手段は、前記ステイタス情報を特定し、前記配信情報編集手段は、前記情報特定手段が特定した前記ステイタス情報に対して前記抽出手段が抽出した前記配信候補情報を含む前記配信情報を編集することを特徴とする。
【００１９】
この請求項５の発明によれば、情報特定手段は、ステイタス情報を特定し、配信情報編集手段は、情報特定手段が特定したステイタス情報に対して抽出手段が抽出した配信候補情報を含む配信情報を編集するので、ステイタス情報を利用することにより、自動的に利用者の希望に合ったタイミングに、希望に合った配信情報を配信することができる。
【００２０】
また、請求項６にかかる発明は、請求項５に記載の情報配信装置であって、前記配信候補情報格納手段は、所定の事象情報に対して複数の前記配信候補情報を格納し、前記配信情報編集手段は、前記配信候補情報格納手段において、前記事象情報に対応付けられている複数の前記配信候補情報を含む前記配信情報を編集することを特徴とする。
【００２１】
この請求項６の発明によれば、配信候補情報格納手段は、所定の事象情報に対して複数の配信候補情報を格納しているので、複数の配信候補情報を組み合わせることにより多様なバリエーションの配信情報を編集することができる。従って、利用者の希望により適合した配信情報を利用者に提供することができる。
【００２２】
また、請求項７にかかる発明は、動画および音声のうち少なくとも一方を含むデジタルデータに関連する情報を利用者端末に配信する情報配信装置であって、前記撮像装置から、前記デジタルデータに含まれる事象を示す事象情報及びデジタルデータを受信する受信手段と、前記受信手段が受信した前記事象情報から、予め登録された前記利用者の嗜好情報に合致する前記事象情報を特定する情報特定手段と、前記情報特定手段により特定された前記事象情報に対して予め定められている配信情報を編集する配信情報編集手段と、予め登録された、前記利用者に前記配信情報を配信する場合の条件を示す配信条件情報に合致するタイミングで、前記配信情報編集手段が編集した前記配信情報を前記利用者端末に配信する配信手段とを備えたことを特徴とする。
【００２３】
この請求項７の発明によれば、嗜好情報に合致する内容を含む配信情報を、配信条件情報が示す条件に合致するタイミングで、利用者に配信することができるので、利用者が希望するタイミングに、希望する情報を配信することができる。
【００２４】
また、請求項８にかかる発明は、動画を撮像する撮像装置と、前記撮像装置によって撮像されたデジタルデータに関連する情報を利用者端末に配信する情報配信装置とを備えた情報配信システムであって、前記撮像装置は、動画を撮像する撮像手段と、前記撮像手段によって撮像されたデジタルデータの意味内容を解析する解析手段と、前記意味解析手段による意味内容の解析結果から、前記デジタルデータに含まれる事象を示す事象情報を抽出する事象情報抽出手段と、前記デジタルデータおよび前記事象情報を送信する送信手段とを有し、前記情報配信装置は、前記撮像装置から前記デジタルデータおよび前記事象情報を受信する受信手段と、前記受信手段が受信した前記事象情報から、予め登録された、前記利用者の嗜好情報に合致する前記事象情報を特定する情報特定手段と、前記情報特定手段により特定された前記事象情報に対して予め定められている配信情報を編集する配信情報編集手段と、予め登録された前記利用者に配信情報を配信する場合の条件を示す配信条件情報に合致するタイミングで、前記配信情報編集手段が編集した前記配信情報を前記利用者端末に配信する配信手段とを有することを特徴とする。
【００２５】
この請求項８の発明によれば、嗜好情報に合致する内容を含む配信情報を、配信条件情報が示す条件に合致するタイミングで、利用者に配信することができるので、利用者が希望するタイミングに、希望する情報を配信することができる。
【００２６】
また、請求項９にかかる発明は、動画および音声のうち少なくとも一方を含むデジタルデータに関連する情報を利用者端末に配信する情報配信方法であって、前記デジタルデータの意味内容を解析する意味解析ステップと、前記意味解析ステップにおける意味内容の解析結果から、前記デジタルデータに含まれる事象を示す事象情報を抽出する事象情報抽出ステップと、前記事象情報抽出ステップにおいて抽出した前記事象情報を事象情報格納手段に格納する事象情報格納ステップと、前記事象情報格納手段に格納されている前記事象情報から予め登録された前記利用者の嗜好情報に合致する前記事象情報を特定する情報特定ステップと、前記情報特定ステップにおいて特定された前記事象情報に対して予め定められている配信情報を編集する配信情報編集ステップと、予め登録された前記利用者に前記配信情報を配信する場合の条件を示す配信条件情報に合致するタイミングで、前記配信情報編集ステップにおいて編集した前記配信情報を前記利用者端末に配信する配信ステップとを備えたことを特徴とする。
【００２７】
この請求項９の発明によれば、嗜好情報に合致する内容を含む配信情報を、配信条件情報が示す条件に合致するタイミングで、利用者に配信することができるので、利用者が希望するタイミングに、希望する情報を配信することができる。
【００２８】
また、請求項１０にかかる発明は、動画および音声のうち少なくとも一方を含むデジタルデータに関連する情報を利用者端末に配信する情報配信処理をコンピュータに実行させる情報配信プログラムであって、前記デジタルデータに含まれる事象を示す事象情報及びデジタルデータを受信する受信ステップと、前記受信ステップにおいて受信した前記事象情報から、予め登録された前記利用者の嗜好情報に合致する前記事象情報を特定する情報特定ステップと、前記情報特定ステップにより特定された前記事象情報に対し予め定められている配信候補情報を含む前記配信情報を編集する配信情報編集ステップと、予め登録された前記利用者に配信情報を配信する場合の条件を示す配信条件情報に合致するタイミングで、前記配信情報編集ステップにおいて編集した前記配信情報を前記利用者端末に配信する配信ステップとをコンピュータに実行させることを特徴とする。
【００２９】
この請求項１０の発明によれば、嗜好情報に合致する内容を含む配信情報を、配信条件情報が示す条件に合致するタイミングで、利用者に配信することができるので、利用者が希望するタイミングに、希望する情報を配信することができる。
【００３０】
【発明の実施の形態】
以下に添付図面を参照して、この発明にかかる情報配信装置、情報配信システム、情報配信方法、および情報配信プログラムの好適な実施の形態を詳細に説明する。
【００３１】
（実施の形態１）
図１は、この発明の実施の形態１である情報配信システムとしてのＰＵＳＨ型コンテンツ配信システム１の全体構成を示す図である。コンテンツ配信システム１は、撮像装置２と、情報配信装置としてのコンテンツ配信装置１０とを備えている。
【００３２】
撮像装置２は、スポーツ試合などの動画を撮像する。コンテンツ配信装置１０は、撮像装置２から撮像された映像データ、すなわちスポーツ中継映像データ（以下、「映像データ」と略す）を取得する。そして、映像データに基づいてスポーツ中継映像のダイジェストを利用者に配信すべき配信情報として作成し、作成したダイジェスト情報を利用者の携帯端末２０に配信する。
【００３３】
図２は、コンテンツ配信装置１０の機能構成を示すブロック図である。コンテンツ配信装置１０は、映像データ取得部１０２と、意味解析部１０４と、事象情報抽出部１０５と、重要度算出部１０６と、映像関連データベース（ＤＢ）１１０と、ステイタス情報生成部１０８と、利用者情報取得部１２０と、利用者データベース（ＤＢ）１１２と、ステイタス情報特定部１２２と、配信候補情報抽出部１２４と、配信情報編集部１２６と、配信部１２８と、配信候補情報データベース（ＤＢ）１１４とを備えている。
【００３４】
映像データ取得部１０２は、携帯端末２０から映像データを取得する。具体的には、たとえばインターネットなどのネットワークを介して映像データを取得する。
【００３５】
意味解析部１０４は、映像データ取得部１０２から映像データを取得し、映像データの時間軸に沿った各映像区間の意味内容を解析する。具体的には、各映像区間に含まれる映像データから、何点差であるか、いずれのチームが勝っているか、逆転したかなどの意味内容を解析する。そして、各内容を示す事象情報を生成する。
【００３６】
事象情報抽出部１０５は、意味内容解析部１０４による意味内容の解析結果から、映像データに含まれる事象を示す事象情報を抽出し、映像関連ＤＢ１１０に格納する。ここで、事象情報とは、何点差である、満塁である、など映像内容を示す情報である。
重要度算出部１０６は、意味内容解析部１０４による意味内容の解析結果から、各映像区間の重要度を算出し、映像関連ＤＢ１１０に格納する。重要度は、例えば、ホームランシーンが含まれている映像区間に対して重要度１０を設定し、得点があった映像区間に対して重要度を７に設定するなど映像内容に応じて予め定めておき、各映像区間に含まれる内容と比較することにより、各映像区間に対する重要度として算出する。
なお、意味解析部１０４、事象情報抽出部１０５、および重要度算出部１０６の機能は、公知のダイジェスト技術により実現される。
【００３７】
映像関連ＤＢ１１０は、当該映像データに対して得られた事象情報および重要度を格納している。ここで、映像関連ＤＢ１１０は、本発明の配信候補情報格納手段を構成する。
【００３８】
ステイタス情報生成部１０８は、事象情報抽出部１０５が抽出した事象情報が映像関連ＤＢ１１０に格納され、かつ重要度算出部１０６が算出した重要度が映像関連ＤＢ１１０に格納された後に起動する。ステイタス情報生成部１０８は、映像関連ＤＢ１１０に格納されている事象情報及び重要度に基づいてステイタス情報を生成する。ここで、ステイタス情報とは、映像データの意味内容を示す情報である。ステイタス情報生成部１０８が生成するステイタス情報の一例を以下に示す。
▲１▼  何点差であるか
▲２▼  どちらのチームが勝ったか？
▲３▼  逆転したか？
▲４▼  逆転しそうな場面か？
▲５▼  どの選手が打点を挙げたか？
▲６▼  どの選手が活躍したか？
【００３９】
上記のステイタス情報のうち▲１▼，▲２▼，▲３▼，および▲５▼に示すステイタス情報は、事象情報に基づいて生成される。すなわち、事象情報抽出部１０５が映像データから抽出した事象情報から生成される。▲４▼および▲６▼は、重要度に基づいて生成される。例えば、満塁のシーンでは重要度が高く設定されているので、重要度の値に基づいて逆転しそうな場面を特定することができる。
【００４０】
▲４▼「逆転しそうな場面か？」を示すステイタス情報は、満塁、４番打者で、一打逆転のチャンスの時などに値が上がる状況レベルの値が高い場面を含む場合に生成される。また、▲１▼「何点差であるか」を示すステイタス情報は、ある選手が主役のシーンで、その選手の所属するチームの重要度が高い場面を含む場合に生成される。
【００４１】
このように、ステイタス情報生成部１０８は、各映像区間に含まれる映像データに対する事象情報および重要度に基づいて、各映像区間を特徴付けることができる。
【００４２】
利用者情報取得部１２０は、インターネットなどのネットワークを介して、利用者の携帯端末２０から配信条件情報及び嗜好情報を取得する。嗜好情報とは、好きなチーム、好きな選手などを示す情報である。また、配信条件情報とは、配信情報をいつ受け取りたいか、またはいずれの種類の配信情報を受け取りたいかを示す情報である。利用者情報取得部１２０は、嗜好情報および配信条件情報を取得すると、取得した情報を利用者ＤＢ１１２に格納する。利用者ＤＢ１１２は、各利用者を識別する利用者ＩＤに対応付けて、各利用者から取得した嗜好情報および配信条件情報を格納している。
【００４３】
ステイタス情報特定部１２２は、利用者ＤＢ１１２に格納されている配信条件情報が示す配信条件を満たすタイミングで、利用者ＤＢ１１２において、配信条件情報とともに格納されている嗜好情報に合致するステイタス情報を映像関連ＤＢ１１０から特定する。
【００４４】
一方、配信候補情報ＤＢ１１４は、各ステイタス情報に対応付けて、複数の配信候補情報を格納している。ここで、配信候補情報とは、利用者の携帯端末２０に提供する配信情報に含めるべき情報である。
【００４５】
配信候補情報抽出部１２４は、ステイタス情報特定部１２２により特定されたステイタス情報、および利用者ＤＢ１１２に格納されている嗜好情報により特定される配信候補情報を抽出する。配信情報編集部１２６は、配信候補情報抽出部１２４から受け取った配信候補情報を含む配信情報を編集する。配信部１２８は、インターネットを介して配信情報編集部１２６が編集した配信情報を利用者の携帯端末２０に配信する。
【００４６】
図３は、利用者ＤＢ１１２のデータ構成を示す模式図である。利用者ＤＢ１１２は、利用者ＩＤと、各利用者について登録された配信条件情報および嗜好情報とを対応付けて格納している。
【００４７】
利用者ＤＢ１１２には、嗜好情報として、好きなチーム、好きな選手など利用者の嗜好の種類を示す情報や、嗜好の程度を示す情報が格納されている。また、利用者ＤＢ１１２には、配信条件情報として、利用者が配信を希望するコンテンツの内容を指定する情報が格納されている。配信条件情報として、さらに以下に示すような情報が格納される。
▲１▼  好きなチームや好きな選手に関する有利な情報を取得した場合に配信してほしい
▲２▼  好きなチームが勝ったときだけ配信してほしい
▲３▼  好きな選手が活躍したときだけ配信してほしい
▲４▼  好きなチームおよび好きな選手に関する重要な情報を、当該情報の有利／不利にかかわらず重要な情報を配信してほしい
▲５▼  好きなチームが勝っても負けても配信してほしい
▲６▼  好きな選手が活躍してもしなくても配信してほしい
▲７▼  好きなチームや好きな選手に関して、いい場面なら配信してほしい
▲８▼  逆転したら配信してほしい
▲９▼  逆転しそうなときに配信してほしい
【００４８】
嗜好情報はまた、自分の好きな選手にとって有利な情報のみを取得したいなど、より詳細な条件を示す情報であってもよい。配信条件情報は、任意に設定することができる。
【００４９】
また、配信条件情報には、例えば以下に示すように利用者が配信情報を取得したいタイミング、または利用者が取得したい配信情報の内容を示す情報が含まれる。
▲１▼  試合が終わったら配信してほしい
▲２▼  好きな選手の打席ごとに配信してほしい
▲３▼  イニング終了時に配信してほしい
▲４▼  いい場面ならばいつでも配信してほしい
【００５０】
本実施の形態においては、利用者は、携帯端末２０に表示された内容に従って、嗜好情報及び配信条件情報を登録することができる。図４から図６に利用者に嗜好情報および配信条件情報を入力する際に、利用者の携帯端末２０に表示される表示画面を示す。
【００５１】
携帯端末２０において嗜好情報等の登録を指示すると、図４に示すように、携帯端末２０の表示部２２に好きなチームの入力画面２００が表示される。利用者は、入力画面２００におけるチーム名表示欄に好きなチームの名前を入力する。
【００５２】
図５は、表示部２２に表示された好きな選手の入力画面２１０を示している。図４に示した好きなチームの入力画面２００において、所望のチームを選択すると、表示部２２には、図５に示す好きな選手の入力画面２１０が表示される。
【００５３】
好きな選手の第１入力画面２１０において、利用者は好きな選手の検索方法を指定すると、指定された検索方法における検索画面２１２ａ，２１２ｂが表示部２２に表示される。読み仮名検索の検索画面２１２ａにおいては、利用者が好きな選手の氏名をかな入力することにより所望の選手を選択することができる。また、背番号検索の検索画面２１２ｂにおいては、利用者が好きな選手の背番号の数字を入力することにより所望の選手を選択することができる。
【００５４】
図５に示す検索画面２１２ａ，２１２ｂにおいて、好きな選手を選択すると、図６に示す配信条件指定画面２２０が表示部２２に表示される。配信条件指定画面２２０には、複数の配信条件が表示されている。利用者は、この中から所望の条件を選択することができる。
【００５５】
以上のように、利用者が携帯端末２０の表示画面２２に表示される内容に沿って入力された情報は、インターネットを介してコンテンツ配信装置１０の利用者情報取得部１２０に送信される。そして、コンテンツ配信装置１０の利用者情報取得部１２０が、利用者が携帯端末２０において入力した嗜好情報および配信条件情報を取得して利用者ＤＢ１１２に登録する。このように、利用者は、自己の所有する携帯端末において、簡単に所望の条件を登録することができる。なお、嗜好情報および配信条件情報は、更新可能である。
【００５６】
図７は、配信候補情報ＤＢ１１４のデータ構成を示す模式図である。図７は、配信候補情報ＤＢ１１４のうち、勝敗を示すステイタス情報に対して設定された７つチームに対する配信候補情報を示している。本実施の形態における配信候補情報は、文字情報である。点差の値に応じて、７チームそれぞれに対する配信候補情報が設定されている。配信候補情報ＤＢ１１４は、例えば、勝ちのステイタスにおいては、以下の７種類のパターンを格納している。
パターン（７種類）
▲１▼  勝ち→僅差（１点）
▲２▼  勝ち→通常（２〜４点差）
▲３▼  勝ち→大差（５点差以上）
▲４▼  負け→僅差（１点）
▲５▼  負け→通常（２〜４点差）
▲６▼  負け→大差（５点差以上）
▲７▼  引き分け
【００５７】
そして、例えば、所定の利用者に対して、嗜好情報としてＡチームが設定されており、ステイタス情報として、引き分けを示すステイタス情報が得られた場合には、フィールド１１４０に格納されている配信候補情報が抽出される。
【００５８】
また、上記パターンそれぞれに対して、球団ごとに、例えば１６種類（はじめの文言）×１４種類（つづく言葉）を配信候補情報として格納してもよい。このように、複数の配信候補情報を格納することにより、多様な配信情報を生成することができる。
【００５９】
例えば、Ａチームの圧勝に対する配信候補情報として、「全世界のファンの皆さん！楽勝だったらしいですよ！」という内容が前文として登録されており、かつ「Ａチーム重量打線の実力だね！」という内容が後文として登録されている場合には、「全世界のファンの皆さん！楽勝だったらしいですよ！Ａチーム重量打線の実力だね！」という内容の配信情報を生成し、利用者に提供することができる。このように、複数の配信候補情報を組み合わせることにより、利用者に提供する配信情報のバリエーションを増やすことができる。
【００６０】
なお、図７に示す配信コンテンツ以外にも、嗜好情報のうち他の項目に対する各ステイタス情報に応じた配信コンテンツを格納してもよい。必要に応じて配信コンテンツを分割し、それぞれについてデータベース内にコンテンツを保持する。
【００６１】
図８は、コンテンツ配信装置１０の処理を示すフローチャートである。図８を参照しつつ、コンテンツ配信装置１０が野球中継の映像を取得した場合の処理について説明する。
【００６２】
まず、映像データ取得部１０２は撮像装置２が撮影した野球中継映像データを取得する（ステップＳ１００）。次に、意味解析部１０４は、スポーツ中継映像データの映像内容を解析する。そして、事象情報抽出部１０５は、意味内容の解析結果に基づいて事象情報を抽出し、また、重要度算出部１０６は、意味内容の解析結果に基づいて重要度を算出する（ステップＳ１０２）。次に、ステイタス情報生成部１０８が起動し、事象情報抽出部１０５および重要度算出部１０６がそれぞれ映像関連ＤＢ１１０に格納した事象情報及び重要度に基づいて、ステイタス情報が生成される（ステップＳ１０４）。ステイタス情報生成部１０８は、生成したステイタス情報を映像関連ＤＢ１１０に格納する。
【００６３】
ステイタス情報特定部１２２は、利用者ＤＢ１１２に格納されている嗜好情報に合致するステイタス情報が映像関連ＤＢ１１０に格納されているか否かを監視する（ステップＳ１０６）。映像関連ＤＢ１１０に嗜好情報に合致したステイタス情報が格納されている場合には（ステップＳ１０６，Ｙｅｓ）、さらに、当該嗜好情報とともに利用者ＤＢ１１２に格納されている配信条件情報が示す配信条件に合致すると（ステップＳ１０８，Ｙｅｓ）、配信候補情報ＤＢ１１４からステイタス情報及び嗜好情報に対応付けられている配信候補情報を抽出する  （ステップＳ１１２）。
【００６４】
次に、配信情報編集部１２６は、配信候補情報抽出部１２４が抽出した配信候補情報を含む配信情報を編集する（ステップＳ１１４）。そして、配信部１２８は、配信候補情報抽出部１２４によって生成された配信情報を利用者の携帯端末２０に送信する（ステップＳ１１６）。以上で、コンテンツ配信装置１０の処理は完了する。
【００６５】
ここで、以下に示す嗜好情報が利用者ＤＢ１１２に格納され、かつ以下に示すステイタス情報が映像関連ＤＢ１１０に格納されている場合のより具体的な処理について説明する。
嗜好情報：嗜好項目→  Ａチーム
嗜好属性→  勝ったときだけ
配信タイミング→  試合終了時
映像データのステイタス情報：Ａチーム、８対１で大勝、試合終了
【００６６】
映像データ取得部１０２が、Ａチームの試合中継の映像データの取得を開始すると、映像データに対してＡチームである旨を示すステイタス情報が生成されて映像関連ＤＢ１１０に格納される。次に、ステイタス情報特定部１２２は、利用者ＤＢ１１２において利用者の嗜好情報として格納されているＡチームを示すステイタス情報を映像関連ＤＢ１１０において特定する。次に、利用者ＤＢ１１２に格納されている配信条件情報を確認する。試合終了時、かつＡチームが勝ったときだけという条件が配信条件情報として格納されているので、配信候補情報抽出部１２４は、定期的に映像関連ＤＢ１１０に格納されるステイタス情報を監視し、試合終了を含む映像部分データが格納されると、試合結果を示すステイタス情報を特定する。そして、Ａチームが勝ったことを示すステイタス情報が生成されている場合に当該ステイタス情報に対応し、かつＡチームに対応付けられているコメント情報を配信候補情報ＤＢ１１４から抽出する。
【００６７】
これにより、試合終了と同時に、かつＡチームが勝ったときのみ利用者に対して、適当な配信情報を配信することができる。
【００６８】
同様の嗜好情報及び配信条件情報が複数の利用者に対して登録されている場合には、複数の利用者全員に同一の配信情報がＰＵＳＨ型コンテンツとして送信される。
【００６９】
図９は、コンテンツ配信装置１０のハードウェア構成を示す図である。コンテンツ配信装置１０は、ハードウェア構成として、コンテンツ配信装置１０における情報配信処理を実行するプログラムなどが保持されているＲＯＭ５２、ＲＯＭ５２内のプログラムに従ってコンテンツ配信装置１０の各部を制御し、情報配信処理等を実行するＣＰＵ５１、ワークエリアが形成され、コンテンツ配信装置１０の制御に必要な種々のデータが記憶されているＲＡＭ５３、ネットワークに接続して、通信を行う通信Ｉ／Ｆ５７、および各部を接続するバス６２を備えている。
【００７０】
先に述べたコンテンツ配信装置１０における文書管理処理を実行する情報配信処理プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供される。
【００７１】
また、本実施形態の情報配信処理プログラムを、インターネット等のネットワークに接続されたコンピュータ上に保持し、ネットワーク経由でダウンロードさせることにより提供するように構成しても良い。
【００７２】
この場合には、情報配信処理プログラムは、コンテンツ配信装置１０において上記記録媒体から読み出して実行することにより主記憶装置上にロードされ、上記ソフトウェア構成で説明した各部が主記憶装置上に生成されるようになっている。
【００７３】
以上述べたコンテンツ配信装置１０の情報配信処理は、インストール可能な形式又は実行可能な形式のファイルでＣＤ−ＲＯＭ、フロッピーディスク（Ｒ）、ＤＶＤ等のコンピュータで読み取り可能な記録媒体に記録されて提供される。
【００７４】
また、本実施形態の情報配信処理プログラムを、インターネット等のネットワークに接続されたコンピュータ上に保持し、ネットワーク経由でダウンロードさせることにより提供するように構成しても良い。
【００７５】
本実施形態にかかる情報配信処理プログラムは、情報配信装置１０で上記記録媒体から読み出して実行することにより主記憶装置上にロードされ、上記ソフトウェア構成で説明した各部が主記憶装置上に生成されるようになっている。
【００７６】
（実施の形態２）
図１０は、実施の形態２に係るコンテンツ配信システム１の全体構成を示すブロック図である。実施の形態２にかかるコンテンツ配信システム１においては、撮像装置２において、事象情報が抽出され、重要度が算出される。この点で、実施の形態２に係るコンテンツ配信システム１は、実施の形態１に係るコンテンツ配信システム１と異なる。
【００７７】
撮像装置２は、撮像部１５０と、意味解析部１０４と、事象情報抽出部１０５と、重要度算出部１０６と、送信部１５２とを備えている。撮像部１５０は、スポーツの試合などを撮像し、情報配信装置１０に送信すべき映像データを生成する。送信部１５２は、事象情報抽出部１０５が抽出した事象情報および重要度算出部１０６が算出した重要度を、撮像部１５０が生成した映像データと共に、情報配信装置１０に送信する。意味解析部１０４、事象情報抽出部１０５、および重要度算出部１０６の機能および構成は、実施の形態１において説明した情報配信装置１０の意味解析部１０４、事象情報抽出部１０５、および重要度算出部１０６の機能および構成と同様であるので説明を省略する。
【００７８】
このように、本実施の形態においては、撮像装置２において、映像データが生成されると、これに続いて、生成された映像データから事象情報が抽出され、重要度が算出される。従って、情報配信装置１０は、事象情報の抽出、および重要度の算出の処理を行う必要がなく、映像データ取得部１０２が取得した事象情報および重要度に基づいて、ステイタス情報の生成等の処理を行う。
【００７９】
従って、実施の形態２におけるコンテンツ配信システム１においても、実施の形態１におけるコンテンツ配信システム１と同様に、事象情報および重要度に基づいて生成されたステイタス情報、および利用者から登録された配信条件情報および嗜好情報に基づいて、利用者の希望に合ったタイミングに、希望に合った配信情報を利用者端末２０に配信することができる。
【００８０】
なお、上述以外の実施の形態２に係るコンテンツ配信システム１の構成および機能は、実施の形態１に係るコンテンツ配信システム１の構成および機能と同様である。
【００８１】
【発明の効果】
以上説明したように、請求項１にかかる発明によれば、嗜好情報に合致する内容を含む配信情報を、配信条件情報が示す条件に合致するタイミングで、利用者に配信することができるので、利用者が希望するタイミングに、希望する情報を配信することができるという効果を奏する。
【００８２】
また、請求項２にかかる発明によれば、利用者情報格納手段は取得手段が利用者端末から取得した配信条件情報を、各利用者毎に格納することができるので、この配信条件情報を利用することにより、各利用者が希望するタイミングに、希望する配信情報を配信することができるという効果を奏する。
【００８３】
また、請求項３にかかる発明によれば、取得手段は利用者から嗜好情報をさらに取得し、利用者情報格納手段は、各利用者毎に嗜好情報をさらに格納しているので、この配信条件情報を利用することにより、各利用者の希望に合致する配信情報を配信することができるという効果を奏する。
【００８４】
また、請求項４にかかる発明によれば、重要度算出手段は、デジタルデータの重要度を算出し、情報特定手段は、配信条件情報が示す条件に合致する重要度の事象情報を特定することができるので、特定した事象情報に基づいて、利用者の希望に合った配信情報を生成し、配信することができるという効果を奏する。
【００８５】
また、請求項５にかかる発明によれば、情報特定手段は、ステイタス情報を特定し、配信情報編集手段は、情報特定手段が特定したステイタス情報に対して抽出手段が抽出した配信候補情報を含む配信情報を編集するので、ステイタス情報を利用することにより、自動的に利用者の希望に合ったタイミングに、希望に合った配信情報を配信することができるという効果を奏する。
【００８６】
また、請求項６にかかる発明によれば、配信候補情報格納手段は、所定の事象情報に対して複数の配信候補情報を格納しているので、複数の配信候補情報を組み合わせることにより多様なバリエーションの配信情報を編集することができる。従って、利用者の希望により適合した配信情報を利用者に提供することができるという効果を奏する。
【００８７】
また、請求項７にかかる発明によれば、嗜好情報に合致する内容を含む配信情報を、配信条件情報が示す条件に合致するタイミングで、利用者に配信することができるので、利用者が希望するタイミングに、希望する情報を配信することができるという効果を奏する。
【００８８】
また、請求項８にかかる発明によれば、嗜好情報に合致する内容を含む配信情報を、配信条件情報が示す条件に合致するタイミングで、利用者に配信することができるので、利用者が希望するタイミングに、希望する情報を配信することができるという効果を奏する。
【００８９】
また、請求項９にかかる発明によれば、嗜好情報に合致する内容を含む配信情報を、配信条件情報が示す条件に合致するタイミングで、利用者に配信することができるので、利用者が希望するタイミングに、希望する情報を配信することができるという効果を奏する。
【００９０】
また、請求項１０にかかる発明によれば、嗜好情報に合致する内容を含む配信情報を、配信条件情報が示す条件に合致するタイミングで、利用者に配信することができるので、利用者が希望するタイミングに、希望する情報を配信することができるという効果を奏する。
【図面の簡単な説明】
【図１】ＰＵＳＨ型コンテンツ配信システム１の全体構成を示す図である。
【図２】コンテンツ配信装置１０の機能構成を示すブロック図である。
【図３】利用者ＤＢ１１２のデータ構成を示す模試図である。
【図４】嗜好情報及び配信条件情報を入力する際に利用者の携帯端末２０の表示画面２２を示す図である。
【図５】嗜好情報及び配信条件情報を入力する際に利用者の携帯端末２０の表示画面２２を示す図である。
【図６】嗜好情報及び配信条件情報を入力する際に利用者の携帯端末２０の表示画面２２を示す図である。
【図７】配信候補情報ＤＢ１１４のデータ構成を示す模式図である。
【図８】コンテンツ配信装置１０における処理を示すフローチャートである。
【図９】コンテンツ配信装置１０のハードウェア構成を示す図である。
【図１０】実施の形態２に係る撮像装置２およびコンテンツ配信装置１０の機能構成を示すブロック図である。
【符号の説明】
１  コンテンツ配信システム
１０  コンテンツ配信装置
２０  携帯端末
２２  表示部
５１  ＣＰＵ
５２  ＲＯＭ
５３  ＲＡＭ
５７  通信Ｉ／Ｆ
６２  バス
１０２  映像データ取得部
１０４  意味解析部
１０４  意味内容解析部
１０５  事象情報抽出部
１０６  重要度算出部
１０８  ステイタス情報生成部
１１０  映像関連ＤＢ
１１２  利用者ＤＢ
１１４  配信候補情報ＤＢ
１２０  利用者情報取得部
１２２  ステイタス情報特定部
１２４  配信候補情報抽出部
１２６  配信情報編集部
１２８  配信部
１５０  撮像部
１５２  送信部
２００，２１０  入力画面
２１２  検索画面
２２０  配信条件指定画面
【図１】
2004355532.tif 000003
【図２】
2004355532.tif 000004
【図３】
2004355532.tif 000005
【図４】
2004355532.tif 000006
【図５】
2004355532.tif 000007
【図６】
2004355532.tif 000008
【図７】
2004355532.tif 000009
【図８】
2004355532.tif 000010
【図９】
2004355532.tif 000011
【図１０】
2004355532.tif 000012